(57)【要約】【課題】コンテンツを視聴する者が視聴の継続の可否を容易に判断するのに有効な通信装置及び通信システムを提供する。【解決手段】通信装置１０は、所定の空間内に設置され、変動し得る視聴可能時間内においてのみ配信されるコンテンツを受信して表示する。通信装置１０は、視聴可能時間を算出する視聴可能時間算出部１１Ａと、所定のコンテンツの再生に必要な再生時間を算出する再生時間算出部１１Ｂと、再生時間と視聴可能時間とを比較し、再生時間が視聴可能時間を超える場合は、警告情報を生成する警告判定部１１Ｃと、生成された警告情報を表示する表示部１３と、を備える。【選択図】図２
2014158257.tif 000002
【特許請求の範囲】
【請求項１】
所定の空間内に設置され、変動し得る視聴可能時間内においてのみ配信されるコンテンツを受信して表示する通信装置であって、
前記視聴可能時間を算出する視聴可能時間算出部と、
所定のコンテンツの再生に必要な再生時間を算出する再生時間算出部と、
前記再生時間と前記視聴可能時間とを比較し、前記再生時間が前記視聴可能時間を超える場合は、警告情報を生成する警告判定部と、
生成された警告情報を出力する出力部と、
を備える、通信装置。
【請求項２】
前記視聴可能時間は、前記所定のコンテンツの再生中、状況に応じて変動する、
請求項１に記載の通信装置。
【請求項３】
前記警告判定部は、前記所定のコンテンツの再生中、前記再生時間と前記視聴可能時間との比較を時間経過に応じて行い、
前記視聴可能時間が変動した場合、前記警告情報の出力を変更する、
請求項２に記載の通信装置。
【請求項４】
更に、前記視聴可能時間が状況に応じて変動したことを判定する視聴可能時間判定部を備え、
前記警告判定部は、前記視聴可能時間判定部の判定に応じて前記警告情報の出力を変更する、
請求項２に記載の通信装置。
【請求項５】
コンテンツを所定の再生速度により再生する再生部と、
前記再生部による再生を速める早送り再生実行部と、
を更に備え、
前記警告判定部が、前記再生時間が前記視聴可能時間を超えると判定した場合、前記早送り再生実行部はコンテンツの再生を速め、
前記警告判定部は、前記再生実行部により前記コンテンツの再生を速めた結果、前記再生時間が前記視聴可能時間以下となった場合は、前記警告情報の出力を停止する、
請求項１から４のいずれかに記載の通信装置。
【請求項６】
コンテンツを所定の再生速度により再生する再生部と、
前記所定の再生速度よりも早い再生速度に変更することにより前記再生部によるコンテンツの再生を速める早送り再生実行部と、
を更に備え、
前記警告判定部は、前記再生実行部により前記所定のコンテンツの再生を速めた結果、前記再生時間が前記視聴可能時間以下となった場合は、前記再生部による再生を前記所定の再生速度に戻す、
請求項１から４のいずれかに記載の通信装置。
【請求項７】
前記出力部は、前記警告情報を表示する表示部であり、
前記警告判定部は、前記所定のコンテンツの再生中、前記再生時間と前記視聴可能時間との比較を行い、前記再生時間と前記視聴可能時間との差が変化した場合、前記警告情報の表示の大きさを変更する、
請求項１から６のいずれかに記載の通信装置。
【請求項８】
前記警告判定部は、前記再生時間と前記視聴可能時間との差が小さくなった場合、前記警告情報の表示を小さくする、
請求項７に記載の通信装置。
【請求項９】
前記警告判定部は、前記再生時間と前記視聴可能時間との差が小さくなった場合、前記警告情報の表示を停止する、
請求項７に記載の通信装置。
【請求項１０】
前記警告判定部は、前記表示部による前記警告表示の継続時間が所定時間を越えた場合は、前記警告情報の表示を停止する、
請求項７に記載の通信装置。
【請求項１１】
前記警告判定部は、前記表示部による前記警告表示の時間の経過に従って、前記警告情報の表示を徐々に小さくする、
請求項７に記載の通信装置。
【請求項１２】
前記視聴可能時間は、前記所定のコンテンツの視聴者が搭乗する交通機関の運行情報に応じて変動し得る、
請求項１から１１のいずれかに記載の通信装置。
【請求項１３】
請求項１から１２のいずれかに記載の通信装置と、
前記通信装置に対しコンテンツを配信する他の通信装置と、
を備える、通信システム。
【請求項１４】
所定の空間内に設置され、変動し得る視聴可能時間内においてのみコンテンツを他の通信装置に配信する通信装置であって、
視聴可能時間を算出する視聴可能時間算出部と、
所定のコンテンツの再生に必要な再生時間を算出する再生時間算出部と、
前記再生時間と前記視聴可能時間とを比較し、前記再生時間が前記視聴可能時間を超える場合は、警告情報を生成する警告判定部と、
を備え、
生成された警告情報を前記他の通信装置において表示させる、
通信装置。
【発明の詳細な説明】
【技術分野】
【０００１】
本開示は、コンテンツを再生する通信装置及び通信システムに関する。
【背景技術】
【０００２】
従来、例えば航空機内にＡＶ（オーディオ・ビジュアル）コンテンツを格納したサーバー装置を配置し、映像データや音声データを含むコンテンツ（映画、テレビ番組、音楽等）を、乗客の要求（オンデマンド）に従ってサーバー装置より各座席に設置された端末装置に送信するサービスが提供されている。特に、航空機やその他乗り物等におけるコンテンツ配信サービスの場合、乗客は限られた時間内（航空機であれば着陸の準備に入るまでの時間）を過ぎるとコンテンツを継続して視聴することはできない。結果として、乗客は視聴を始めたコンテンツの視聴を途中で諦めることを余儀なくされることも少なくない。
【０００３】
かかる状況において、コンテンツの視聴可能時間と、コンテンツの残り再生時間とから、コンテンツの再生速度を決定し、決定した再生速度に応じて配信データを加工し、加工したコンテンツを視聴することにより、視聴可能時間内にコンテンツの視聴を終えるようにするデータ送受信システムが開示されている（例えば、特許文献１参照）。
【先行技術文献】
【特許文献】
【０００４】
【特許文献１】特開２０１１−２０５４８６号公報
【発明の概要】
【発明が解決しようとする課題】
【０００５】
しかし、乗客は、コンテンツが最後まで視聴できないことがわかっていたとしても、そのコンテンツの視聴を開始したい場合もある。また、同じコンテンツであっても、最初のシーンなど視聴しなくてもよい部分とクライマックスのシーンなどゆっくりと視聴したい部分とを含む。したがって、視聴の可否判断は、乗客の意思で選べることが望ましい。
本開示は、コンテンツを視聴する者が視聴の継続の可否を判断するのに有効な通信装置及び通信システムを提供する。
【課題を解決するための手段】
【０００６】
本開示の一つの観点によれば、通信装置は、所定の空間内に設置され、変動し得る視聴可能時間内においてのみ配信されるコンテンツを受信して表示する通信装置であって、視聴可能時間を算出する視聴可能時間算出部と、所定のコンテンツの再生に必要な再生時間を算出する再生時間算出部と、再生時間と視聴可能時間とを比較し、再生時間が視聴可能時間を超える場合は、警告情報を生成する警告判定部と、生成された警告情報を出力する出力部と、を備える。
【０００７】
また、本開示の他の観点によれば、通信装置は、所定の空間内に設置され、変動し得る視聴可能時間内においてのみコンテンツを他の通信装置に配信する通信装置であって、視聴可能時間を算出する視聴可能時間算出部と、所定のコンテンツの再生に必要な再生時間を算出する再生時間算出部と、再生時間と視聴可能時間とを比較し、再生時間が視聴可能時間を超える場合は、警告情報を生成する警告判定部と、を備え、生成された警告情報を他の通信装置において表示させる。
【発明の効果】
【０００８】
本開示における通信システム及び通信装置は、利用者がコンテンツ視聴の継続の可否を判断することを容易とする。
【図面の簡単な説明】
【０００９】
【図１】実施の形態に係る通信システムの概略構成図
【図２】実施の形態に係る通信システムに含まれる各装置の概略構成図
【図３】実施の形態に係る通信システムの動作を示すフローチャート
【図４】実施の形態に係る早送り再生処理を示すフローチャート
【図５】実施の形態に係る座席端末の表示例を示す図
【図６】その他実施の形態に係る座席端末の概略構成図
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、発明者らは、当業者が本開示を十分に理解するために添付図面及び以下の説明を提供するのであって、これらによって特許請求の範囲に記載の主題を限定することを意図するものではない。
【００１１】
説明中で同じ符号、記号、数字は、特に説明が無い限り、同じ構成要素を示すものとする。また、特に説明が無い限り本発明に必須でない構成要素は図示しないものとする。
（実施の形態）
［１−１．  通信システムの構成］
図１は、本発明の一実施の形態に係る通信システム１（通信システムの一例）の全体構成を概略的に示す。通信システム１は、航空機内に設置されたＡＶコンテンツの格納と配信を行うサーバー装置２０（通信装置の一例）と、サーバー装置２０と有線ケーブルを介して接続されるディストリビュータ３０と、ディストリビュータ３０に有線ケーブルを介して接続され各座席またはその近傍に設置された座席端末１０（通信装置の一例）と、を備える。
【００１２】
通信システム１においては、サーバー装置２０に格納されたコンテンツ（映画、テレビ番組、音楽等）を、乗客の要求に従って乗客が位置する座席端末１０に配信して乗客がコンテンツの視聴を可能にする。座席端末１０は、視聴中又はこれから視聴するコンテンツが、配信を終了する時間までに再生が完了しないと予測されるときは、乗客である視聴者に視聴しようとしているコンテンツがそのコンテンツの最後まで視聴できない可能性があることを警告表示として画面に出力する。
【００１３】
なお、座席端末１０の代わりに無線端末装置１０’（通信装置の一例）にコンテンツを送信することも可能であるが、この例については後述する。
以下、図２を参照しながら通信システム１に含まれる各装置の構成について説明する。
［１−１−１．  座席端末の構成］
図２の符号１０は、座席端末の構成例を示す。座席端末１０は、サーバー装置２０から配信されたコンテンツを再生、表示させる。コンテンツは、映画、ＮＥＷＳ、楽曲などのコンテンツである。これらのコンテンツは、一般的に、オーディオはＭＰ３やＡＡＣなどの圧縮技術を用いて圧縮され、映像情報はＭＰＥＧ２やＨ．２６４などの圧縮技術を使って圧縮されている。またオーディオと映像情報はＰＴＳ（プレゼンテーションタイムスタンプ）などの情報により同期ができるようになっているデータを伸張処理した後再生される。座席端末１０は、座席端末１０の各機能を実現するための制御部１１、メモリ１２、表示部１３（出力部の一例）、入力部１４、送信部１５、受信部１６、及び再生部１７を備える。
【００１４】
制御部１１は、ＣＰＵとＣＰＵの動作を定義するプログラム等から構成され、所定のプログラムを実行することにより座席端末１０の各機能を実行する。特に制御部１１は、視聴者が搭乗中にコンテンツを視聴できる時間を求める視聴可能時間算出部１１Ａと、コンテンツの終わりまで通常の速度で再生する場合に必要となる時間を求める残り再生時間算出部１１Ｂと、視聴者に視聴可能時間が残り再生時間より不足していることを示す警告判定部１１Ｃと、コンテンツの再生時間を短縮して再生するための早送り再生実行部１１Ｄと、を含む。
【００１５】
視聴可能時間算出部１１Ａは、サーバー装置２０等から取得するフライト時間情報（交通機関の運行情報の一例）を用いて視聴可能時間を算出する。視聴可能時間は、現在時刻からコンテンツ配信サービスを終了する時点までの時間である。コンテンツ配信サービスの終了する時点は、例えば航空機が着陸の準備体勢に入りサーバー装置２０等の電子機器の使用を制限する時刻であって、気流の状態などにより変動するがフライトプランやＧＰＳで得られる航空機の位置情報などからその時刻を予測することは可能である。あるいは視聴可能な時間が残り１時間になった時点で客室乗務員が操作することにより視聴可能時間の計算を始めてもよい。
【００１６】
残り再生時間算出部１１Ｂは、視聴中或いはこれから再生するコンテンツを最後まで再生するために必要な残り再生時間を算出する。コンテンツ全体の再生に要する時間は通常ＴＯＣ（テーブルオブコンテンツ）などのテーブルで定義されており、これからコンテンツを再生する場合は、このコンテンツ全体の再生に要する時間が残り再生時間となる。視聴中のコンテンツである場合は、コンテンツ全体の再生に要する時間より、コンテンツの開始から現在までの経過時間を差し引くことで残り再生時間を算出できる。
【００１７】
警告判定部１１Ｃは、視聴しようとしているコンテンツ又は視聴中のコンテンツが現在の再生速度で再生して最後まで視聴できるかどうかを判定し、その判定に基づいて警告情報を出力する。すなわち、残り再生時間と視聴可能時間とを比較し、残り再生時間が視聴可能時間を越える場合は、当該コンテンツが最後まで視聴できない可能性のあることを示す警告情報を生成し、表示部１３に表示させる。なお、視聴可能時間や残り再生時間は変動するため、この比較処理は時間の経過に応じて適時行われる（例えば、所定時間毎など）。また、この場合、警告判定部１１Ｃは、視聴可能時間と残り再生時間の差に応じて警告表示の大きさを変更し、その差がなくなったとき、すなわち通常の再生速度で視聴中のコンテンツを再生しても最後まで視聴可能であることが予想される場合は警告表示を停止させる。
【００１８】
早送り再生実行部１１Ｄは、座席端末１０からの要求を受けて（例えば、視聴者による早送り再生モードの選択）、コンテンツの早送り再生を決定する。早送り再生速度は、一以上のレベルが設けられており、各レベルは、標準再生速度よりも早く、且つ再生される映像や音声を視聴するのに差し支えない程度の再生速度（例えば１．３倍速等）に設定されている。
【００１９】
メモリ１２は、座席端末１０を制御するためのプログラムやサーバー装置２０から送られてきたコンテンツの全部あるいは一部を含む種々のデータを格納する。特に、視聴可能時間記憶部１２Ａは、視聴可能時間算出部１１Ａにより算出された視聴可能時間を記憶、更新する。残り再生時間記憶部１２Ｂは、残り再生時間算出部１１Ｂにより取得された残り再生時間を記憶、更新する。
【００２０】
表示部１３は、ＬＣＤや有機ＥＬディスプレイ等の表示画面を有し、前席座席の背面部分など乗客である視聴者が着座した状態で見やすい位置に取り付けられる。入力部１４の操作により制御部１１の指令に応じてサーバー装置２０から取得された情報（コンテンツ等）を表示する。
入力部１４は、表示部１３に表示されるタッチパネルや、操作ボタンを備えたリモートコントローラ等の入力手段であり、ユーザーの操作により入力された情報を制御部１１に送信する。送信部１５は、要求信号やその他データを、ディストリビュータ３０を介してサーバー装置２０に送信する。受信部１６は、サーバー装置２０よりディストリビュータ３０を介してコンテンツやその他情報を受信する。
【００２１】
再生部１７は、設定された再生速度により表示部１３においてコンテンツを再生する。
［１−１−２．  サーバー装置の構成］
図２の符号２０は、サーバー装置２０を示す。サーバー装置２０は、航空機内に設置されたコンピュータ装置であり、乗客である視聴者が利用する座席端末１０に対して、視聴者の要求に応じて（オンデマンドで）コンテンツを送信する。また、サーバー装置２０は航空機の運行情報、環境情報等を取得する。
【００２２】
サーバー装置２０は、所定のバスを介して接続される制御部２１、メモリ２２、送信部２５、及び受信部２６を備える。
制御部２１は、ＣＰＵ等から構成され、所定のプログラムを実行することによりサーバー装置２０の各機能を実行する。特に、フライト時間情報取得部２１Ａは、フライトプランやＧＰＳなどで取得した航空機の運行管理システムから取得したデータに基づき、フライト時間情報を取得する。なお、フライト時間は天候やその他の事情によって変化するため、サーバー装置２０はフライト時間情報を継続的に取得する。サーバー装置２０は、フライト時間情報を、フライト時間の更新毎或いは所定時間毎に座席端末１０に送信する。
【００２３】
メモリ２２は、半導体メモリあるいはフラッシュメモリやＨＤＤなどの不揮発性メモリやこれらの組合せで構成され、サーバー装置２０で使われるソフトウェアや種々のデータを格納する。特に、メモリ２２は、フライト時間情報記憶部２２Ａと、コンテンツ記憶部２２Ｅとを含む。フライト時間情報記憶部２２Ａは、フライト時間情報取得部２１Ａにより取得されたフライト時間情報を記憶、更新する。コンテンツ記憶部２２Ｅは、配信する種々のコンテンツを格納する。
【００２４】
送信部２５は、制御部２１により読み出されたメモリ２２の情報（コンテンツやフライト時間情報等）を、ディストリビュータ３０を介して座席端末１０に送信する。受信部２６は、座席端末１０よりディストリビュータ３０を介して要求信号やその他データを受信する。送信部２５および受信部２６は通常、単一の回路で実現されるが本発明は単一回路に限定するものではない。
【００２５】
［１−２．  通信システムの動作］
図３及び図４を参照しながら、本実施の形態に係る通信システム１の動作について、座席端末１０の動作を中心にて説明する。
ステップＳ１０１：航空機が離陸後、所定の高度に到達し安定飛行に入ると、航空機内においてサーバー装置２０によるサービスが開始される。サービスが開始されると乗客である視聴者による座席端末１０からの要求に応じてサーバー装置２０から要求された所定のコンテンツが配信される。座席端末１０は配信されたコンテンツを受信し、圧縮されたコンテンツを伸張処理した後に表示部１３上に出力・表示する。なおオーディオデータも伸張処理されたのち図示されないイヤホンあるいはスピーカから出力される。
【００２６】
なお、視聴者が視聴するコンテンツを選択する際に、表示部１３上に例えばリスト形式で複数のコンテンツをメニュー表示するが、このメニュー表示の各コンテンツに対応するように各コンテンツの再生時間を表示させるようにしてもよい。
ステップＳ１０２：視聴可能時間算出部１１Ａは、サーバー装置２０から取得したフライト時間情報を用いて視聴可能時間を算出する。ここではサーバー装置２０から送られた情報をもとに座席端末１０内で計算することで説明したが、サーバー装置２０内で視聴可能時間を計算し、その結果を座席端末１０にリアルタイムに送るようにしても良い。
【００２７】
ステップＳ１０３：残り再生時間算出部１１Ｂは、視聴中或いはこれから再生するコンテンツから、そのコンテンツの残り再生時間を算出する。すなわち、コンテンツの開始時刻から現在再生している位置の通常再生速度における経過時間をコンテンツ全体の再生時間から差し引くことで残り再生時間を計算することができる。
ステップＳ１０４：警告判定部１１Ｃは、残り再生時間と視聴可能時間とを比較し、残り再生時間が視聴可能時間を越えるかどうかを判定する。残り再生時間の方が長い場合は、ステップＳ１０５に進む。
【００２８】
ステップＳ１０５：更に、警告判定部１１Ｃはすでに警告が表示されているかどうかを判定し、既に表示されている場合はステップＳ１０７に進む。
ステップＳ１０６：警告が表示されていない場合は、警告判定部１１Ｃは、警告表示を開始する。例えば図５に示すように、表示部１３の画面上にコンテンツ表示領域１３１と所定の警告表示領域１３２を設け、警告表示領域１３２において視聴者に向けたメッセージ等を表示することにより視聴者の注意を喚起する。なお、この警告表示は視聴者にとって認識しやすい大きさで表示されるものであればよい。警告表示は、コンテンツの表示の上にスーパーインポーズしてポップアップ表示するのが良い。またポップアップ表示を半透明表示にすることにより映像画面が透けて見えるようにしても良い。
【００２９】
ステップＳ１０７：一方、警告がすでに表示されている場合、警告判定部１１Ｃは、残り再生時間が所定時間より長いか（例えば、１時間以上等）どうかを判定する。
ステップＳ１０８：残り再生時間が所定時間より長い場合、表示部１３において警告表示の表示を継続させて、ステップＳ１１２に進む。
なお、ここで、警告表示を所定時間拡大して表示することにより、再度視聴者の注意を喚起するようにしてもよい。
【００３０】
ステップＳ１０９：警告判定部１１Ｃは、残り再生時間が所定時間より短いかどうか（例えば、１５分以下など）を判定する。
ステップＳ１１０：残り再生時間が減少して少なくっている場合、警告判定部１１Ｃは、残り再生時間が視聴可能時間以下になったかどうかを判定する。残り再生時間が視聴可能時間以下になった場合は、ステップＳ１１４に進み、警告表示を停止させる。
【００３１】
なお、ステップＳ１０７からＳ１１０で視聴可能時間の不足の度合いにより表示を変えることを説明したが、不足する時間を定量的にバー表示し、不足時間の長さによりバーの長さを変更して表示するようにしてもよい。例えば、残り視聴可能時間とコンテンツの残り時間との差異が小さくなるとバーを短くするなどにより、視聴者が視聴可能時間の不足分を定量的にイメージし易い様に表示するのもよい。
【００３２】
ステップＳ１１１：警告判定部１１Ｃは、ステップＳ１０９において残り再生時間が少ないと判定した場合であって、かつステップＳ１１０において残り再生時間が視聴可能時間よりも長いと判定した場合、表示部１３においてすでに表示されている警告表示を縮小して表示させる。
なお、コンテンツの残り再生時間が少なくなった場合、警告表示を停止するようにしてもよい。
【００３３】
ステップＳ１１２：早送り再生実行部１１Ｄは、早送り再生の要求があったかどうかを判定する。この要求は、視聴者の操作により早送り再生モードが選択されることにより行われる。この視聴者による操作は、入力部１４上に設けられたタッチパネルなど画面上に表示された早送りボタンをタッチすること、あるいは入力部１４がリモートコントローラであればその早送りボタンを操作することなどにより、実行される。
【００３４】
ステップＳ１１３：ステップＳ１１２において早送り再生の要求があった場合は、ステップＳ１１３の早送り再生処理を行う。この処理については後述する。
ステップＳ１１４：早送りの結果コンテンツの残り再生時間が視聴可能時間を下回る状態になった場合は警告判定部１１Ｃは警告表示を停止する。
ステップＳ１１５〜Ｓ１１６：制御部１１は、コンテンツの受信を終了した場合は、コンテンツの表示を終了する。
【００３５】
＜早送り再生処理＞
図４を参照しながら、座席端末１０の早送り再生処理（図３のステップＳ１１３）について説明する。
ステップＳ１１３１：早送り再生実行部１１Ｄは、早送り再生の速度を決定する。この再生速度のレベルは、一又は複数設定される。一般に映画などの映像はフレームと呼ばれる画像を毎秒２４枚再生することで動きを表現している。表示装置は毎秒５０枚あるいは６０枚の画像を表示可能であり、２４枚の画像を繰り返すことで１秒間に６０回表示している。例えば、繰り返し表示する回数を減らし２４枚のフレーム画像をそれぞれ２回ずつ表示すれば１秒よりも短い時間（４８／６０秒）で再生され、早送り再生となる。またオーディオデータは短時間に分けてブロックごとに周波数成分に変換して符号化されている。再生する際に復号するブロックを間引く、例えば連続する４個のブロックのうち３個のみを使って復号処理を行えば３３％高速に進めることができる。間引く割合を多くしすぎると再生されたオーディオが不連続となり自然な再生ができなくなるため、各レベルは、再生される映像や音声を視聴するのに差し支えない程度の再生速度（例えば１．３倍速等）であるものとする。より早く（短時間で）再生する場合は音声の不自然さを避けるために映像のみを表示することもできる。
【００３６】
なお、早送り再生実行部１１Ｄは、早送り再生を実行する前に、早送り再生することにより最後まで視聴できるかどうかを判断してもよい。この場合、現在視聴している位置以降のコンテンツを通常の速度で再生したときに最後まで視聴できない場合その旨を表示部１３の画面に表示してもよい。
ステップＳ１１３２：再生部１７は、ステップＳ１１３１において決定した再生速度に従ってコンテンツの再生を行う。
【００３７】
ステップＳ１１３３：早送り再生実行部１１Ｄは、残り再生時間が視聴可能時間以下になったかどうかを判定する。
ステップＳ１１３４：早送り再生実行部１１Ｄは、残り再生時間が視聴可能時間以下になった場合は、再生速度を標準再生速度に戻し、ステップＳ１１４に進み、警告表示を停止させる。
【００３８】
ステップＳ１１３５：一方、早送り再生実行部１１Ｄは、残り再生時間が視聴可能時間を越えていても、視聴者の操作による早送り再生の停止要求(早送り再生モードの停止要求)があれば、ステップＳ１１３４に進んで再生速度を標準再生速度に戻す。
ステップＳ１１３６：また、コンテンツの受信の終了の場合は、図３のステップＳ１１６に進む。
【００３９】
［１−３．  効果等］
上記実施の形態にかかる座席端末１０又は通信システム１によれば、航空機の搭乗中に、乗客である視聴者はコンテンツを最後まで視聴できるかどうかをリアルタイムに認識することができる。これにより、視聴者は、コンテンツの視聴継続の可否を容易に判断することができる。
【００４０】
また、視聴者は、コンテンツの表示画面を見ながら早送り再生モードを選択することにより、通常の再生速度によっては最後まで視聴できないコンテンツを最後まで視聴することが可能となる。視聴者は更に、コンテンツの中で、視聴者がより重要と感じる部分を通常再生速度で再生し、重要性が低いと感じる部分を早送りあるいはスキップして再生することにより、情報コンテンツを最後まで視聴できるようにすることができる。
【００４１】
（他の実施の形態）
以上、図面を用いて本発明の実施形態を説明したが、本発明の具体的な構成は、前述の実施形態に限られるものではなく、発明の要旨を逸脱しない範囲で種々の変更及び修正が可能である。例えば、次のような変更が可能である。
［１．］
上記実施の形態においては、時間経過（例えば、所定時間毎）に応じてコンテンツの再生中に視聴可能時間を算出し、警告情報の出力を変更しているが、これに限定されない。
【００４２】
図６は、座席端末２１０の構成例を示し、上記実施の形態とは、制御部２１１が視聴可能時間判定部２１１Ｅを有する点で異なる。なお、その他の構成要素については、上記実施の形態と同様であるため同一の符号を付し、その説明は省略する。
視聴可能時間判定部２１１Ｅは、サーバー装置２０（図２）から取得されるフライト情報に基づき視聴可能時間に変動があったかどうかを判定する。具体的には、視聴可能時間判定部２１１Ｅはフライト情報に基づき視聴可能時間に変動があったと判定した場合は、警告判定部１１Ｃは、その判定に応じて、残り再生時間と視聴可能時間とを比較し、その差分に基づいて警告情報の出力を変更するようにしてもよい。例えば、警告判定部１１Ｃは、上記実施の形態と同様に、視聴可能時間と残り再生時間の差に応じて警告表示の大きさを変更したり、その差がなくなったとき、すなわち通常の再生速度で視聴中のコンテンツを再生しても最後まで視聴可能であることが予想される場合は警告表示を停止させたりすることが可能である。
【００４３】
［２．］
上記実施の形態においては、座席端末１０において、視聴可能時間の算出、残り再生時間の算出、警告表示の判定、早送り再生の決定等を実行しているが、これらの機能をサーバー装置２０（通信装置の一例）側に設けることも可能である。この場合、座席端末１０は、サーバー装置２０からの指令に応じて、警告の表示を行う。また、座席端末１０側から早送り再生処理の要求（視聴者の入力操作によって早送り再生モードの選択）を受信した場合、サーバー装置２０は、早送り再生速度の決定や標準再生速度への変更の決定を行い、座席端末１０に指令する。
【００４４】
［３．］
上記実施の形態においては、座席端末１０に代えて、無線接続された無線端末装置１０’を用いてもよい。この場合、無線端末装置１０’は、図１に示すように、航空機内に設けられたアクセスポイント４０に無線接続することにより、座席端末１０と同様の機能を実行する。
【００４５】
［４．］
上記実施の形態において、早送り再生処理は、コンテンツのチャプターを飛ばしであってもよい。この場合、コンテンツのチャプターとその説明を表示部に表示し、視聴者が不要とするチャプターを飛ばすことにより残り再生時間を減少させてコンテンツの再生を早めるようにしてもよい。
【００４６】
［５．］
上記実施の形態において、警告表示が所定時間以上継続された場合は、警告表示を小さくして、視聴を妨げないようにしてもよい。あるいは、警告表示が所定時間以上継続された場合は、時間の経過に従って警告表示を徐々に小さくしてもよい。これらの表示は、画面右上などの隅に小さく表示する。あるいは段階的に小さくなるよう表示するようにしてもよい。表示する言語は英語表示が一般的であるが、視聴者が事前に選択した言語に従って選ばれた言語で表示するとなお好ましい。
【００４７】
また、警告表示が所定時間以上継続された場合は、警告表示を一度消すようにしてもよい。
［６．］
警告は、画面上の表示に限定されず、所定の音声出力手段（出力部の一例）を介して出力される音声等であってもよい。
【００４８】
また警告は文章表示、画像表示、音声出力だけでなく、実際の視聴可能時間の残りを表示してもよい。
［７．］
上記実施の形態は、航空機に適用されることを例にしているが、所定の空間内に設置され、コンテンツを格納し、制限された時間内においてコンテンツを所定の空間内において視聴するシステムにおいて、コンテンツの視聴可能時間が想定できる状況であればよい。例えば、新幹線等の列車の場合（予め降車駅を特定するなどにより乗客によるコンテンツの視聴可能時間を設定する）や会議室、ホール等においても適用できる。
【００４９】
［８．］
上記実施の形態における処理方法の実行順序は、必ずしも、上記実施形態の記載に制限されるものではなく、発明の要旨を逸脱しない範囲で、実行順序を入れ替えることができるものである。
【産業上の利用可能性】
【００５０】
本開示は、所定の空間においてコンテンツを視聴するための通信装置及びサーバー装置等として適用可能である。
【符号の説明】
【００５１】
１        通信システム（通信システムの一例）
１０      座席端末（通信装置の一例）
１０’    無線端末装置（通信装置の一例）
１１      制御部
１２      メモリ
１３      表示部
１４      入力部
１５      送信部
１６      受信部
２０      サーバー装置（通信装置の一例）
２１      制御部
２２      メモリ
２５      送信部
２６      受信部
３０      ディストリビュータ
４０      アクセスポイント
２１０    座席端末（通信装置の一例）
２１１    制御部
【図１】
2014158257.tif 000003
【図２】
2014158257.tif 000004
【図３】
2014158257.tif 000005
【図４】
2014158257.tif 000006
【図５】
2014158257.tif 000007
【図６】
2014158257.tif 000008